(57)【要約】【課題】  クロストークを低減する電気コネクタを提供する。【解決手段】  シールド付差動ケーブル８１と半田接続した基板７２を電気コネクタ筐体４に収納した電気コネクタ１において、基板７２とケーブル８１の信号線８２との半田接続部２ｓに、その半田接続部２ｓの少なくとも一部を覆うように導電性を有する内側カバー３，３を被せたものである。【選択図】  図１
2005243516.tif 000002
【特許請求の範囲】
【請求項１】
シールド付差動ケーブルと半田接続した基板を電気コネクタ筐体に収納した電気コネクタにおいて、前記基板と前記ケーブルの信号線との半田接続部に、その半田接続部の少なくとも一部を覆うように導電性を有する内側カバーを被せたことを特徴とする電気コネクタ。
【請求項２】
前記内側カバーは、前記信号線を囲むように配置した金属仕切り板と、絶縁物成型体とから構成されている請求項１記載の電気コネクタ。
【請求項３】
前記絶縁物成型体は、前記半田接続部の位置を合わせるための溝を備える請求項２記載の電気コネクタ。
【請求項４】
前記金属仕切り板は、前記絶縁物成型体のケーブル側端部から突出し、かつ前記ケーブルの絶縁体の剥き出し部分を覆う構造となっている請求項２または３記載の記載の電気コネクタ。
【発明の詳細な説明】
【技術分野】
【０００１】
本発明は、シールド付差動ケーブルを電気コネクタ筐体に収納した電気コネクタに関するものである。
【背景技術】
【０００２】
一般に、高速伝送用電気コネクタでは、ＧＨｚ領域でのインピーダンス整合を実現するために、基板（パドルカード）を内蔵しており、高速伝送用ケーブルには、シールド付の差動ケーブルが用いられる。
【０００３】
図８に示すように、一般に用いられているシールド付差動ケーブル８１は、導体である信号線８２を絶縁体８３で被覆してなるコアを２本並列に設け、これら２本並列のコアと、導体であるドレイン線８４とを金属のシールド８５で覆い、さらにこのシールド８５を絶縁体であるシース８６で被覆した構造となっている。シールド８５とドレイン線８４は接触しており、ドレイン線８４をＧＮＤ（グランド）に接続することで、シールド８５もＧＮＤに接続することができる。
【０００４】
以下の説明では、ケーブル８１として、８本の信号線８２と４本のドレイン線８４とを備えた８心のシールド付差動ケーブルの例で説明する。
【０００５】
図７に示すような電気コネクタ７１は、ケーブル８１と半田接続した基板（パドルカード）７２を導電性の電気コネクタ筐体（コネクタ金属カバー）７３に収納したものである。この電気コネクタ７１では、基板７２にケーブル８１端末を接続してなるケーブル接続部（コネクタ本体）７４を、筐体７３で覆うことで保護している。
【０００６】
図６（ａ）および図６（ｂ）に示すように、コネクタ本体７４では、基板７２とケーブル８１の接続は、基板７２の表裏面で信号線８２が２本ずつ対になるように、基板７２に端末処理したケーブル８１の各信号線８２と各ドレイン線８４とを半田付けし、半田接続部６１をそれぞれ形成して行う。基板７２の表面には、シールド８５を基板ＧＮＤ６２に接続するための各ドレイン線８４が信号線８２の間に半田付けされる。各半田接続部６１は、基板７２に信号線８２やドレイン線８４を高密度に実装するために、非常に狭いピッチになっている。
【０００７】
なお、この出願の発明に関連する先行技術文献情報としては、次のものがある。
【０００８】
【特許文献１】特表平１０−５０８１４６号公報
【特許文献２】特開２００３−５９５９３号公報
【発明の開示】
【発明が解決しようとする課題】
【０００９】
しかしながら、電気コネクタ７１は、各半田接続部６１のピッチが狭いので、隣接する信号線８２間でのクロストークが大きくなってしまうという問題がある。
【００１０】
そこで、本発明の目的は、クロストークを低減する電気コネクタを提供することにある。
【課題を解決するための手段】
【００１１】
本発明は上記目的を達成するために創案されたものであり、請求項１の発明は、シールド付差動ケーブルと半田接続した基板を電気コネクタ筐体に収納した電気コネクタにおいて、前記基板と前記ケーブルの信号線との半田接続部に、その半田接続部の少なくとも一部を覆うように導電性を有する内側カバーを被せた電気コネクタである。
【００１２】
請求項２の発明は、前記内側カバーは、前記信号線を囲むように配置した金属仕切り板と、絶縁物成型体とから構成されている請求項１記載の電気コネクタである。
【００１３】
請求項３の発明は、前記絶縁物成型体は、前記半田接続部の位置を合わせるための溝を備える請求項２記載の電気コネクタである。
【００１４】
請求項４の発明は、前記金属仕切り板は、前記絶縁物成型体のケーブル側端部から突出し、かつ前記ケーブルの絶縁体の剥き出し部分を覆う構造となっている請求項２または３記載の記載の電気コネクタである。
【発明の効果】
【００１５】
本発明によれば、クロストークを低減した電気コネクタを実現できるという優れた効果を発揮する。
【発明を実施するための最良の形態】
【００１６】
以下、本発明の好適実施の形態を添付図面にしたがって説明する。
【００１７】
まず、図２で電気コネクタの全体構成を説明する。図２は、本発明の好適実施の形態を示す電気コネクタの斜視図である。
【００１８】
図２に示すように、本実施の形態に係る電気コネクタ１は、基板（パドルカード）７２と、端末処理したシールド付差動ケーブル８１の各信号線８２との半田接続部２ｓに、その半田接続部２ｓを覆うように導電性を有する接続部カバー（内側カバー）３，３を上下から被せてケーブル接続部（コネクタ本体）４を構成し、そのコネクタ本体４を導電性の電気コネクタ筐体（コネクタ金属カバー）５に収納したものである。この電気コネクタ１では、コネクタ本体４を筐体５で覆うことで保護している。
【００１９】
図１（ａ）は電気コネクタ１の主要部の横断面図（信号線８２に垂直な方向）、図１（ｂ）はその縦断面図（信号線８２に平行な方向）である。
【００２０】
図１（ａ）および図１（ｂ）に示すように、基板７２は、絶縁基板７５とＧＮＤ基板７６とを交互に積層し、表裏面に信号線パターンや基板ＧＮＤ６２を所定ピッチで形成して構成される。
【００２１】
コネクタ本体４では、基板７２とケーブル８１の接続は、基板７２の表裏面で信号線８２が２本ずつ対になるように、基板７２に端末処理したケーブル８１の各信号線８２を半田付けし、半田接続部２ｓをそれぞれ形成して行う。各ドレイン線８４については後述する。
【００２２】
接続部カバー３は、各信号線８２（各半田接続部２ｓ）の両側方と高さ方向との３方向を所定距離だけ隔てて囲むように、横断面視で櫛歯状に形成して配置した金属仕切り板６と、その金属仕切り板６の空間部に充填されるように組み合わされる絶縁物成型体７とから構成されている。
【００２３】
金属仕切り板６には、各信号線８２の間に位置して隣接する信号線８２間を仕切る仕切り部６ｄが設けられる。絶縁物成型体７の下部（あるいは上部）には、各半田接続部２ｓを収納すると共に、各半田接続部２ｓの位置を合わせるための溝８がそれぞれ形成される。
【００２４】
金属仕切り板６は、絶縁物成型体７のケーブル側端部７ｃからケーブル８１側となる後方に突出し、かつケーブル８１端末の絶縁体８３の剥き出し部分（ケーブル８１端末から露出した絶縁体８３）の上半分（あるいは下半分）を覆う突出部６ｐを有する構造となっている。つまり、金属仕切り板６は、絶縁物成型体７よりも長い。
【００２５】
本実施の形態では、ケーブル８１の種類にもよるが、各信号線８２間のクロストークをより確実に低減するため、接続部カバー３の上面（あるいは下面）となる金属仕切り板６と、基板７２表面（あるいは裏面）との隙間ｇを０．６ｍｍ以下にした。
【００２６】
接続部カバー３は、基板７２表面（あるいは裏面）の両側端に形成された基板ＧＮＤ６２と、金属仕切り板６の両側下端（あるいは両側上端）とを半田付けすることにより、基板７２に固定される。また、各接続部カバー３，３の突出部６ｐと、ケーブル８１の端末から露出したシールド８５とは、半田付けするなどして接触させる。
【００２７】
端末処理したケーブル８１の各ドレイン線８４は、例えば、接続部カバー３の上面（あるいは下面）となる金属仕切り板６に半田付けされ、半田接続部２ｄがそれぞれ形成される。
【００２８】
本実施の形態の作用を説明する。
【００２９】
本実施の形態に係る電気コネクタ１は、基板７２とケーブル８１の各信号線８１との半田接続部２ｓに、金属仕切り板６を備えた接続部カバー３，３を被せた点に特徴がある。各信号線８２、すなわち各半田接続部２ｓを囲むように金属仕切り板６を配置することにより、隣接する各信号線８２間の電界結合や磁界結合よりも、各信号線８２と金属仕切り板６間の電界結合や磁界結合が強くなるため、隣接する各信号線８２間の電界結合や磁界結合を防ぐことができ、ＧＨｚ領域の周波数帯域においても、クロストークを抑制（低減）できる。
【００３０】
また、接続部カバー３を構成する絶縁物成型体７は、各半田接続部２ｓの位置を合わせるための溝８を備えているので、半田接続部２ｓに接続部カバー３，３を被せる際に、各信号線８２の整線を行うことができる。
【００３１】
さらに、金属仕切り板６を、絶縁物成型体７のケーブル側端部７ｃから突出し、かつケーブル８１の絶縁体８３の剥き出し部分の上半分（あるいは下半分）覆う突出部６ｐを有する構造にすることにより、ケーブル８１端末の絶縁体８３が剥き出しになっている部分で生じるクロストークも抑制することができる。
【００３２】
端末処理したケーブル８１の各ドレイン線８４を、例えば、接続部カバー３の上面（あるいは下面）となる金属仕切り板６に半田付けすることにより、各信号線８１の実装ピッチを広く取ることが可能となり、加工作業性を向上できる。
【００３３】
ここで、本実施の形態に係る電気コネクタ１と、背景技術で説明した図７の電気コネクタ７１とのクロストークを測定して比較した。図３にクロストーク測定の比較結果を示す。測定には、ネットワークアナライザを用いて、１〜１０ＧＨｚまでの近端クロストーク（Ｎｅａｒｅｎｄ  Ｃｒｏｓｓｔａｌｋ）の周波数特性を測定した。
【００３４】
ただし、図３では横軸を周波数（ＧＨｚ）にとり、縦軸を近端クロストーク（ｄＢ）にとった。また、本実施の形態に係る電気コネクタ１の特性を黒菱形、従来例１の電気コネクタ７１（ドレイン線未接続側）の特性を四角、従来例２の電気コネクタ（ドレイン線接続側）の特性を三角プロットの実線でそれぞれ示した。
【００３５】
図３に示すように、電気コネクタ１を用いることにより、従来の電気コネクタ７１よりも、クロストークがドレイン線未接続側で約３４ｄＢ、ドレイン線接続側で約１１ｄＢも低減できたことがわかる。
【００３６】
次に、第２の実施の形態を説明する。
【００３７】
上記実施の形態では、櫛歯状の金属仕切り板６で接続部カバー３を構成する例で説明したが、接続部カバー３の高さを低くすることにより、金属仕切り板６の仕切り部６ｄが必ずしも各信号線８２の間になくても、クロストークを小さくすることが可能である。
【００３８】
図４に示す第２の実施の形態であるコネクタ本体４４のように、横断面視でコ字状の金属仕切り板４６で接続部カバー４３を構成してもよい。接続部カバー４３の高さｈは、図１の接続部カバー３より低く、かつ各信号線８２の配列ピッチｐよりも十分小さい。
【００３９】
コネクタ本体４４では、接続部カバー４３の高さｈが各信号線８２の配列ピッチｐよりも十分小さいので、隣接する各信号線８２間の電界結合や磁界結合よりも、各信号線８２と金属仕切り板４６間の電界結合や磁界結合が強くなるため、隣接する各信号線８２間の電界結合や磁界結合を防ぐことができ、図１（ａ）および図１（ｂ）のコネクタ本体４と同様に、ＧＨｚ領域の周波数帯域においても、クロストークを抑制できる。
【００４０】
コネクタ本体４４では、図１（ａ）および図１（ｂ）の基板７２の代わりに、上下の半田接続部２ｓ間にあたる部分の絶縁基板を削除した絶縁基板４２を用いている。この基板４２を用いることにより、接続部カバー４３使用時のインピーダンス整合をとることも可能である。
【００４１】
上記実施の形態では、半田接続部２ｓに、その半田接続部２ｓを覆うように接続部カバー３，４３を被せた例で説明したが、図５に示す第３の実施の形態であるコネクタ本体５４のように、半田接続部２ｓを接続部カバー５３で完全に覆わずに、半田接続部２ｓを剥き出しにした部分を設けてもよい。
【００４２】
つまり、半田接続部２ｓのケーブル８１側を部分的に接続部カバー５３で覆うことにより、接続部カバー５３をソフトビーム等の一括半田接続用の整線固定治具としても使用可能である。
【００４３】
上述した各接続部カバー３，４３，５３において、絶縁物成型体７を比誘電率の異なる材料に変えることで、接続部カバーの寸法は自由に変更することが可能である。
【００４４】
また、図１（ａ）で説明したドレイン線８４の半田付け部は、必ずしも各接続部カバー３，４３，５３の上面（あるいは下面）である必要はなく、基板ＧＮＤ６２、金属仕切り板６，４６、ケーブル８１のシールド８５、絶縁基板７５，４２のいずれかと、それぞれどこかで接触していればよい。
【図面の簡単な説明】
【００４５】
【図１】図１（ａ）は本発明の好適実施の形態を示す電気コネクタの主要部の横断面図（信号線に垂直な方向）、図１（ｂ）はその縦断面図（信号線に平行な方向）である。
【図２】本実施の形態に係る電気コネクタの斜視図である。
【図３】本発明と背景技術の電気コネクタとのクロストークの比較結果を示すグラフである。
【図４】第２の実施の形態を示す電気コネクタの主要部の横断面図である。
【図５】第３の実施の形態を示す電気コネクタの主要部の縦断面図である。
【図６】図６（ａ）は背景技術の電気コネクタの主要部の横断面図、図６（ｂ）はその縦断面図である。
【図７】背景技術の電気コネクタの斜視図である。
【図８】シールド付差動ケーブルの一例を示す横断面図である。
【符号の説明】
【００４６】
１  電気コネクタ
２ｓ  半田接続部
３  接続部カバー（内側カバー）
４  コネクタ本体
５  電気コネクタ筐体
６  金属仕切り板
６ｐ  突出部
７  絶縁物成型体
８  溝
７２  基板
８１  シールド付差動ケーブル
８２  信号線
【図１】
2005243516.tif 000003
【図２】
2005243516.tif 000004
【図３】
2005243516.tif 000005
【図４】
2005243516.tif 000006
【図５】
2005243516.tif 000007
【図６】
2005243516.tif 000008
【図７】
2005243516.tif 000009
【図８】
2005243516.tif 000010